(57)【要約】【課題】複雑な処理を行うことなくシンプルな構造でＰＡＰＲを低減することができる通信装置，送信装置及び受信装置を提供する。【解決手段】マルチキャリアを用いて信号の送信を行う通信システムにおいて，座標軸上にマッピングされた複数の第１のマッピング信号のうち所定の規則に従う半分を１８０°位相回転して複数の第２のマッピング信号を生成する送信側位相回転器と，前記複数の第２のマッピング信号に基づいて周波数が直交関係にある複数のサブキャリア信号を変調し，当該変調された複数のサブキャリア信号をＩＦＦＴ処理して時間領域信号を生成するＩＦＦＴ回路とを有する送信装置と，受信した前記時間領域信号をＦＦＴ処理して複数のサブキャリア信号の前記複数の第２のマッピング信号を出力するＦＦＴ回路と，前記複数の第２のマッピング信号のうち前記送信側と同じ規則に従う半分を１８０°位相回転して前記複数の第１のマッピング信号を生成する受信側位相回転器とを有する受信装置とを有する。【選択図】  図２
2012124694.tif 000002
【特許請求の範囲】
【請求項１】
マルチキャリアを用いて信号の送信を行う通信システムにおいて，
座標軸上にマッピングされた複数の第１のマッピング信号のうち所定の規則に従う半分を１８０°位相回転して複数の第２のマッピング信号を生成する送信側位相回転器と，前記複数の第２のマッピング信号に基づいて周波数が直交関係にある複数のサブキャリア信号を変調し，当該変調された複数のサブキャリア信号をＩＦＦＴ処理して時間領域信号を生成するＩＦＦＴ回路とを有する送信装置と，
受信した前記時間領域信号をＦＦＴ処理して複数のサブキャリア信号の前記複数の第２のマッピング信号を出力するＦＦＴ回路と，前記複数の第２のマッピング信号のうち前記送信側と同じ規則に従う半分を１８０°位相回転して前記複数の第１のマッピング信号を生成する受信側位相回転器とを有する受信装置とを有する通信システム。
【請求項２】
請求項１において，
前記所定の規則は，奇数番目または偶数番目のいずれかである通信システム。
【請求項３】
請求項１において，
前記所定の規則は，擬似ランダムな番号である通信システム。
【請求項４】
マルチキャリアを用いて信号の送信を行う送信装置において，
座標軸上にマッピングされた複数の第１のマッピング信号のうち所定の規則に従う半分を１８０°位相回転して複数の第２のマッピング信号を生成する送信側位相回転器と，
前記複数の第２のマッピング信号に基づいて周波数が直交関係にある複数のサブキャリア信号を変調し，当該変調された複数のサブキャリア信号をＩＦＦＴ処理して時間領域信号を生成するＩＦＦＴ回路とを有する送信装置。
【請求項５】
マルチキャリアを用いて送信された信号を受信する受信装置において，
座標軸上にマッピングされた複数の第１のマッピング信号のうち所定の規則に従う半分を１８０°位相回転して複数の第２のマッピング信号が生成され，前記複数の第２のマッピング信号に基づいて周波数が直交関係にある複数のサブキャリア信号を変調し，当該変調された複数のサブキャリア信号をＩＦＦＴ処理して生成された時間領域信号を受信し，
受信した前記時間領域信号をＦＦＴ処理して複数のサブキャリア信号の前記複数の第２のマッピング信号を出力するＦＦＴ回路と，
前記複数の第２のマッピング信号のうち前記送信側と同じ規則に従う半分を１８０°位相回転して前記複数の第１のマッピング信号を生成する受信側位相回転器とを有する受信装置。
【発明の詳細な説明】
【技術分野】
【０００１】
本発明は，通信装置，送信装置及び受信装置に関する。
【背景技術】
【０００２】
ＯＦＤＭ（Orthogonal Frequency Division Multiplexing:直交周波数分割多重）やＯＦＤＭＡ（Orthogonal Frequency Division Multiple Access：直交周波数分割多元接続）方式の通信システムでは，送信装置が，互いに位相が直交関係にある周波数を持つ複数のサブキャリアで被変調成分を変調し，複数のサブキャリアに対してＩＦＦＴを行い，搬送周波数にアップコンバートして送信する。一方，受信装置は，受信信号をダウンコンバートし，ＦＦＴを行い，複数のサブキャリアの被変調成分を復調する。
【０００３】
ＯＦＤＭやＯＦＤＭＡのようなマルチキャリアを扱う通信システムでは，変調信号を多重化することで，信号レベルが低い箇所と高い箇所の比率が高くなることがしばしばあり，そのような場合，ＰＡＰＲ（Peak to Average Power Ratio）が高くなる。ＰＡＰＲが高くなると，送信装置内のパワーアンプの非線形特性の影響を受け、ＯＦＤＭ信号の帯域外への輻射が生じ，隣接チャネルや他の通信システムへ重大な影響を与える。
【０００４】
たとえば，送信信号の平均電力を動作点に設定するとピーク値がパワーアンプのダイナミックレンジを超えてしまい，飽和領域での動作で出力が歪みスプリアスが発生し隣接する他の通信チャネルへの干渉源になる。
【０００５】
このようにＰＡＰＲが高くなることを防止するために，送信信号を既知パターンでマッピングし拡散したり，データの並び替えをしたり，ピークを有するＯＦＤＭの時間領域信号を既知の特性によりそのピークを抑制するような振幅補償をパワーアンプの前で行うなどが提案されている。
【先行技術文献】
【特許文献】
【０００６】
【特許文献１】特開２００８−１９９４０５号公報
【特許文献２】特開２００９−１４７６３７号公報
【発明の概要】
【発明が解決しようとする課題】
【０００７】
しかしながら，上記の方法では，送信装置側で行ったマッピングやデータの並び替えの情報を受信装置側に送信する必要があり，その情報を送信するためのチャネル帯域が必要になり伝送効率を低下させる。また，受信装置は，振幅補償された送信信号に対して逆特性をかけて元に戻す必要があり，逆特性により信号の劣化を招く。
【０００８】
そこで，本発明の目的は，複雑な処理を行うことなくシンプルな構造でＰＡＰＲを低減することができる通信装置，送信装置及び受信装置を提供することにある。
【課題を解決するための手段】
【０００９】
通信システムの第１の側面は，マルチキャリアを用いて信号の送受信を行う通信システムにおいて，
座標軸上にマッピングされた複数の第１のマッピング信号のうち所定の規則に従う半分を１８０°位相回転して複数の第２のマッピング信号を生成する送信側位相回転器と，前記複数の第２のマッピング信号に基づいて周波数が直交関係にある複数のサブキャリア信号を変調し，当該変調された複数のサブキャリア信号をＩＦＦＴ処理して時間領域信号を生成するＩＦＦＴ回路とを有する送信装置と，
受信した前記時間領域信号をＦＦＴ処理して複数のサブキャリア信号の前記複数の第２のマッピング信号を出力するＦＦＴ回路と，前記複数の第２のマッピング信号のうち前記送信側と同じ規則に従う半分を１８０°位相回転して前記複数の第１のマッピング信号を生成する受信側位相回転器とを有する受信装置とを有する。
【発明の効果】
【００１０】
第１の側面によれば，ＰＡＰＲを低減することができる。
【図面の簡単な説明】
【００１１】
【図１】本実施の形態に係る通信装置の構成図である。
【図２】本実施の形態における送信装置内のマッピング回路１１とＩＦＦＴ回路１２の構成図である。
【図３】本実施の形態の送信装置の動作を示すタイミングチャート図である。
【図４】１６のサブキャリアに対応するマッピング後の信号Ｓ１１の例を示す図である。
【図５】図４のマッピングされた１６のサブキャリアに対応する信号を多重化した図である。
【図６】図５の例の場合，本実施の形態の送信装置により同じシンボル周期内の１６のサブキャリアに対して，偶数番目のサブキャリアの位相を１８０°回転（位相反転）した場合を示す図である。
【図７】本実施の形態における受信装置内のＦＦＴ回路２３とデマッピング回路２４の構成図である。
【発明を実施するための形態】
【００１２】
図１は，本実施の形態に係る通信装置の構成図である。通信装置の送信装置側は，送信データＴｘｄを符号化（エンコード）する符号化回路（エンコーダ）１０と，符号化データをＩ，Ｑ座標軸上にマッピングするマッピング回路１１と，マッピングされた座標点のＩ成分，Ｑ成分を複数のサブキャリアで変調しＩＦＦＴ変換するＩＦＦＴ回路１２と，デジタルアナログ変換回路１３と，Ｉ成分，Ｑ成分の時間領域信号をローカル周波数信号で直交変調する直交変調回路１４と，さらに搬送波の高周波にアップコンバートする高周波（ＲＦ）回路１５とを有する。搬送波信号は，デユプレクサ１６を介してアンテナＡＴから送出される。
【００１３】
一方，通信装置の受信装置側では，アンテナＡＴで受信された受信信号は，デユプレクサ１６を介してＲＦ回路２０に入力されベースバンドまでダウンコンバートされる。そして，直交検波回路２１がローカル周波数信号で直交検波してＩ成分とＱ成分の時間領域信号を生成する。その後，アナログデジタル変換回路２２がデジタル信号に変換し，ＦＦＴ回路２３がＦＦＴ変換して時間領域信号を周波数領域信号に変換し，各サブキャリアの伝搬路特性がパイロット信号から推定され，データ信号のＩ成分とＱ成分から伝搬路による歪が除去されて復調され，デマッピング回路２４がＩ，Ｑ座標上の座標点からデマッピングして符号化データを再生し，さらにデコーダ回路２５がそれを復号化（デコード）して受信データＲｘｄを抽出する。
【００１４】
以下に示す本実施の形態では，説明を簡素化するために，ＦＦＴサイズが１６，即ちサブキャリア数が１６のＯＦＤＭシステムであり，１６のサブキャリアの変調方式はＱＰＳＫとする。ただし，本実施の形態はそれらに限定されるものではない。
【００１５】
図２は，本実施の形態における送信装置内のマッピング回路１１とＩＦＦＴ回路１２の構成図である。送信装置内では，前述のとおり，マッピング回路１１がエンコーダで符号化された送信データＴｘｄをＩ，Ｑ座標軸上の第１〜第４象限にマッピングする。このマッピングはシンボル内の１６個のサブキャリアに対応する第２のクロックＣＬＫ２に同期して行われる。
【００１６】
さらに，送信装置は，マッピングされた信号Ｓ１１の位相を１８０°回転する位相回転器３１と，位相回転量を与える回転量供給部３２と，マッピング後の信号Ｓ１１または１８０°回転した信号Ｓ１１Ｘのいずれかを選択するセレクタ３３と，セレクタ３３にシンボル内における奇数番目のサブキャリアに対してはセレクト信号「１」を，偶数番目のサブキャリアに対してはセレクト信号「０」をそれぞれ供給する偶奇選択回路３４とを有する。偶奇選択回路３４は，シンボル周期に同期した第１のクロックＣＬＫ１に同期して且つ上記第２のクロックＣＬＫ２に同期して，奇数番目は「１」のセレクト信号Ｓ３４を，偶数番目は「０」のセレクト信号Ｓ３４を生成する。
【００１７】
さらに，送信装置は，セレクタ３３で選択されたサブキャリア毎のマッピング信号Ｓ３３をサブキャリア別にシリアルパラレル変換するシリアルパラレル変換器３５と，各サブキャリアのマッピング信号を位相が直交関係の周波数を有するサブキャリア信号で変調し，複数の周波数のサブキャリア信号をＩＦＦＴ（逆高速フーリエ変換）して時間領域信号Ｒｘ＿ｏｆｄｍを出力するＩＦＦＴ回路１２とを有する。ＩＦＦＴ回路１２は，シンボル周期に同期した第１のクロックＣＬＫ１に同期して，シンボル内のサブキャリア信号をＩＦＦＴ演算する。このＩＦＦＴ演算により複数のサブキャリア信号が多重化される。したがって，この多重化により多くのマッピング信号Ｓ３３のある座標点に偏在すると，多重化後の信号の振幅が過剰に大きくなりＰＡＰＲが悪くなる。
【００１８】
本実施の形態における送信装置は，マッピング回路１１とＩＦＦＴ回路１２との間に，位相回転器３１とセレクタ３３と偶奇選択回路３４とを設け，各シンボル内の複数のサブキャリアに対応するマッピング信号Ｓ１１を奇数番目は１８０°位相回転（位相反転）せず，偶数番目を１８０°位相回転（位相反転）する。
【００１９】
図３は，本実施の形態の送信装置の動作を示すタイミングチャート図である。図３に示されるとおり，送信装置では，位相回転器３１とセレクタ３３と偶奇選択回路３４とが，ＯＦＤＭシンボルに同期した第１のクロックＣＬＫ１に同期して，マッピング後の信号Ｓ１１に含まれる１６のサブキャリアに対応する信号を，セレクト信号Ｓ３４に応答して，奇数番目は位相回転せず，偶数番目は１８０°位相回転した信号Ｓ３３を生成する。
【００２０】
上記の送信装置は，マッピング回路１１とＩＦＦＴ回路１２との間に，位相回転器３１と，セレクタ３３と，そのセレクト信号Ｓ３４を生成する偶奇選択回路３４を設けるだけでよく，その構成は非常に簡単である。例えば，位相回転器３１は，マッピング後の信号Ｓ１１を１８０°位相回転する機能を有するが，実際には信号Ｓ１１のＩ信号とＱ信号の符号を反転するだけでよく，その回路構成はシンプルである。
【００２１】
図４，図５，図６は，本実施の形態における送信装置によりＩＦＦＴ処理後の信号Ｔｘ＿ｏｆｄｍのＰＡＰＲが低減されることを説明する図である。図４は，１６のサブキャリアに対応するマッピング後の信号Ｓ１１の例を示す図である。サブキャリア１〜１６に対応するマッピングされた信号Ｓ１１は，ＱＰＳＫ変調方式により，Ｉ，Ｑ座標軸上の第１〜第４象限内にマッピングされる。図４に示した例では，サブキャリア１，２，４，１１，１４，１５が第１象限内にマッピングされ，サブキャリア３，５，８，１２が第２象限内にマッピングされ，サブキャリア６，９が第３象限にマッピングされ，サブキャリア７，１０，１３，１６が第４象限にマッピングされている。
【００２２】
ＩＦＦＴ回路１２は，これらのマッピング情報に応じて各サブキャリアの信号を変調し，ＩＦＦＴ処理して１６の変調されたサブキャリア信号を多重化して時間領域信号を出力する。
【００２３】
図５は，図４のマッピングされた１６のサブキャリアに対応する信号を多重化した図である。図５によれば，第１象限の信号５１は，サブキャリア１，２，４，１１，１４，１５が多重化され，第２象限の信号５２は，サブキャリア３，５，８，１２が多重化され，第３象限の信号５３は，サブキャリア６，９が多重化され，そして，第４象限の信号５４は，サブキャリア７，１０，１３，１６が多重化されている。多重化されたサブキャリアが多いほど振幅が大きくなりＰＡＰＲの悪化を招く。
【００２４】
各象限内の多重化された信号５１〜５４それぞれは，統計的には，奇数番目と偶数番目のサブキャリアがほぼ１：１で存在する蓋然性が高い。実際のサブキャリアの数は，例えば２０４８個など非常に多いので，前述の統計的な蓋然性はほぼ正しいと言える。
【００２５】
図６は，図５の例の場合，本実施の形態の送信装置により同じシンボル周期内の１６のサブキャリアに対して，偶数番目のサブキャリアの位相を１８０°回転（位相反転）した場合を示す図である。図５の例において，第１象限の信号５１からサブキャリア２，４，１４が位相反転され，第２象限の信号５２からサブキャリア８，１２が位相反転され，第３象限の信号５３からサブキャリア６が位相反転され，第４象限の信号５４からサブキャリア１０が位相反転される。
【００２６】
その結果，図６に示すとおり，第１象限内の信号５１Ｘは，サブキャリア１，１１，１５，６の信号が多重化され，第２象限内の信号５２Ｘは，サブキャリア３，５，１２の信号が多重化され，第３象限内の信号５３Ｘは，サブキャリア６，９の信号が多重化され，第４象限内の信号５４Ｘは，サブキャリア７，１０，１３，１６の信号が多重化されることになる。つまり，図５の第１象限の信号５１が６つのサブキャリアが多重化され過剰に大きな振幅だったのが，図６では第１象限の信号５１Ｘは４つのサブキャリア信号が多重化されることになり，その振幅は抑制されている。さらに，図６では，全ての象限における多重化後の信号５１Ｘ〜５４Ｘは，ほぼ同等の振幅になっている。
【００２７】
つまり，送信データＴｘｄはランダムなデータであるので，座標軸上にマッピングされるとマッピング後の信号Ｓ１１は，非常に大きな振幅を有する場合があり，ＰＡＰＲが悪くなる場合がある。しかし，本実施の形態の送信装置によれば，各象限内の信号の統計的に約半分の信号が位相反転されるので，各象限内の信号の過大な振幅や過小な振幅が抑制され，より近い振幅を有することになる。
【００２８】
上記の位相反転は，シンボル内の複数のサブキャリアの約半分に対して行われればよい。上記の例では，偶数番目のサブキャリアに対して位相反転したが，奇数番目のサブキャリアに対して位相反転してもよい。あるいは，送信側と受信側で予め取り決められた擬似ランダムな半分のサブキャリアを位相反転してもよい。擬似ランダムにすることで，送信データの秘匿性が向上するという更なる効果をもたらすことができる。
【００２９】
図７は，本実施の形態における受信装置内のＦＦＴ回路２３とデマッピング回路２４の構成図である。送信装置側では，シンボル内の偶数番目のサブキャリアについて位相反転を行っている。したがって，受信装置側では，ＦＦＴ処理後の偶数番目のサブキャリアの信号について位相反転を行って元のマッピング信号に戻す必要がある。
【００３０】
すなわち，受信装置は，ＦＦＴ回路２３が時間領域信号Ｒｘ＿ｏｆｄｍをＦＦＴ処理して周波数領域の信号Ｓ２３に変換する。この信号Ｓ２３は，複数のサブキャリアのマッピングされた信号である。そして，この複数のサブキャリアに対応するマッピングされた信号Ｓ２３が，パラレルシリアル回路４２によりシリアルに変換される。
【００３１】
そして，受信装置は，ＦＦＴ回路２３とデマッピング回路２４との間に，位相回転器４３とそれに１８０°の位相回転量を供給する回転量供給部４４と，マッピングされた信号Ｓ４２か１８０°位相回転（位相反転）された信号Ｓ４２Ｘのいずれかを選択するセレクタ４５と，そのセレクタ４５にセレクト信号Ｓ４６を与える偶奇選択回路４６とを有する。
【００３２】
ＦＦＴ回路２３は，シンボル周期に同期した第１のクロックＣＬＫ１に同期して，ＦＦＴ演算を行う。さらに，偶奇選択回路４６は，シンボル周期に同期した第１のクロックＣＬＫ１と，サブキャリアに同期した第２のクロックＣＬＫ２に同期して，奇数番目のサブキャリアに対しては「１」のセレクト信号Ｓ４６を出力し，偶数番目のサブキャリアに対しては「０」のセレクト信号Ｓ４６を出力する。これにより，偶数番目のサブキャリアに対しては位相反転されたマッピング信号Ｓ４２Ｘが選択されて出力される。そして，マッピング回路２４は，第２のクロックＣＬＫ２に同期して，位相反転で元の位相情報に戻されたマッピング信号Ｓ４５をデマッピングして，受信データＲｘｄを出力する。
【００３３】
図７の受信装置内の信号Ｓ４２，Ｓ４５，Ｓ４６は，図３に示されている。図３において，パラレルシリアル変換されたマッピングされた信号Ｓ４２は，偶奇選択信号Ｓ４６に応じて，偶数番目のサブキャリアが位相反転され，位相反転前の元のマッピングされた信号Ｓ４５がセレクタ４５から出力される。
【００３４】
図２の送信装置が，シンボル内の偶数番目のサブキャリアに対応するマッピングされた信号を位相反転しているので，図７の受信装置は，偶数番目のサブキャリアに対応するマッピングされた信号を位相反転して，元のマッピングされた信号に戻している。つまり，送信装置側と受信装置側とは同じ規則で位相反転を行うのである。
【００３５】
もし，送信装置が奇数番目のサブキャリアに対応する信号を位相反転していた場合は，当然，受信装置側でも奇数番目のサブキャリアに対応する信号を位相反転する。さらに，送信装置が予め決められた擬似ランダムなサブキャリアに対応する信号を位相反転していた場合は，受信装置側も同じ擬似ランダムなサブキャリアに対応する信号を位相反転する。
【００３６】
上記の実施の形態では，ＩＦＦＴの各サブキャリアの変調方式がＱＰＳＫの例で説明した。しかしながら，ＢＰＳＫの場合も同様に適用可能である。この場合も，位相にマッピングされた信号の半分を反対位相に回転することで，ＰＡＰＲを抑制することができる。
【００３７】
さらに，ＩＦＦＴの各サブキャリアの変調方式が１６ＱＡＭ，６４ＱＡＭの場合も同様に適用できる。たとえば，１６ＱＡＭの場合は，各サブキャリアに対応する信号はマッピングにより１６個の座標点にマッピングされる。したがって，各１６個の座標点にマッピングされた信号のうち，奇数番目または偶数番目のサブキャリア，または擬似乱数番目のサブキャリアについて反対位相に回転することで，各１６点の座標点にそれぞれマッピングされた信号の数を抑制して，ＰＡＰＲが過剰に悪くなることを抑制することができる。
【００３８】
本実施の形態によれば，マッピングされた信号について，各象限毎に半分の確率で位相反転するので，ＩＦＦＴ演算により多重化された信号の振幅が過剰に大きくなって，ＰＡＰＲを悪くすることが抑制される。また，送信装置と受信装置との間で位相反転するサブキャリアについては予め決められている規則に従うので，送信装置から受信装置にどのサブキャリアに対応する信号を位相反転したかの情報を送信データに含めて送信する必要はない。しかも，単に位相回転器３１，４３と，セレクタ３３，４５と，セレクト信号生成回路３４，４６とを設けるだけでよく，簡単な回路構成を追加するだけでよい。
【００３９】
以上の実施の形態をまとめると，次の付記のとおりである。
【００４０】
（付記１）
マルチキャリアを用いて信号の送受信を行う通信システムにおいて，
座標軸上にマッピングされた複数の第１のマッピング信号のうち所定の規則に従う半分を１８０°位相回転して複数の第２のマッピング信号を生成する送信側位相回転器と，前記複数の第２のマッピング信号に基づいて周波数が直交関係にある複数のサブキャリア信号を変調し，当該変調された複数のサブキャリア信号をＩＦＦＴ処理して時間領域信号を生成するＩＦＦＴ回路とを有する送信装置と，
受信した前記時間領域信号をＦＦＴ処理して複数のサブキャリア信号の前記複数の第２のマッピング信号を出力するＦＦＴ回路と，前記複数の第２のマッピング信号のうち前記送信側と同じ規則に従う半分を１８０°位相回転して前記複数の第１のマッピング信号を生成する受信側位相回転器とを有する受信装置とを有する通信システム。
【００４１】
（付記２）
付記１において，
前記所定の規則は，奇数番目または偶数番目のいずれかである通信システム。
【００４２】
（付記３）
付記１において，
前記所定の規則は，擬似ランダムな番号である通信システム。
【００４３】
（付記４）
マルチキャリアを用いて信号の送信を行う送信装置において，
座標軸上にマッピングされた複数の第１のマッピング信号のうち所定の規則に従う半分を１８０°位相回転して複数の第２のマッピング信号を生成する送信側位相回転器と，
前記複数の第２のマッピング信号に基づいて周波数が直交関係にある複数のサブキャリア信号を変調し，当該変調された複数のサブキャリア信号をＩＦＦＴ処理して時間領域信号を生成するＩＦＦＴ回路とを有する送信装置。
【００４４】
（付記５）
付記４において，
送信した前記時間領域信号は，受信装置側で，ＦＦＴ処理して複数のサブキャリア信号の前記複数の第２のマッピング信号を生成され，前記複数の第２のマッピング信号のうち前記送信側と同じ規則に従う半分を１８０°位相回転して前記複数の第１のマッピング信号を生成される送信装置。
【００４５】
（付記６）
マルチキャリアを用いて送信された信号を受信する受信装置において，
座標軸上にマッピングされた複数の第１のマッピング信号のうち所定の規則に従う半分を１８０°位相回転して複数の第２のマッピング信号が生成され，前記複数の第２のマッピング信号に基づいて周波数が直交関係にある複数のサブキャリア信号を変調し，当該変調された複数のサブキャリア信号をＩＦＦＴ処理して生成された時間領域信号を受信し，受信した前記時間領域信号をＦＦＴ処理して複数のサブキャリア信号の前記複数の第２のマッピング信号を出力するＦＦＴ回路と，
前記複数の第２のマッピング信号のうち前記送信側と同じ規則に従う半分を１８０°位相回転して前記複数の第１のマッピング信号を生成する受信側位相回転器とを有する受信装置。
【符号の説明】
【００４６】
１１：マッピング回路                  ３１：位相回転器
３３：セレクタ                        １２：ＩＦＦＴ
２３：ＦＦＴ                          ４３：位相回転器
４５：セレクタ
【図１】
2012124694.tif 000003
【図２】
2012124694.tif 000004
【図３】
2012124694.tif 000005
【図４】
2012124694.tif 000006
【図５】
2012124694.tif 000007
【図６】
2012124694.tif 000008
【図７】
2012124694.tif 000009